【手続補正書】
【提出日】令和1年12月6日(2019.12.6)
【手続補正１】
【補正対象書類名】特許請求の範囲
【補正対象項目名】全文
【補正方法】変更
【補正の内容】
【特許請求の範囲】
【請求項１】
血管医療デバイスの送達または回収のための装置であって、前記装置は、
編組を含む可撓な遠位延長部を有する、軸を有する伸長シャフトであって、前記延長部は、遠位開口部において内向きに折り返され、より近位の開口部を形成し、前記近位の開口部は、それを通して前記医療デバイスの端部を受け取りかつ通過させるようにサイズ決定される、伸長シャフトと、
伸長スリーブであって、前記伸長スリーブが前記遠位延長部の上に前進させられるとき、前記医療デバイスの端部が前記遠位延長部内のポケット内に固定されるようにサイズ決定される、伸長スリーブと
を備え、
前記スリーブは、遠位端に隣接して可変内径部分を含む、装置。
【請求項２】
前記可変内径部分は、形状が円錐形である、請求項１に記載の装置。
【請求項３】
遠位円筒形区分をさらに備える、請求項２に記載の装置。
【請求項４】
前記遠位円筒形区分は、マーカバンドを組み込む、請求項３に記載の装置。
【請求項５】
前記遠位円筒形区分は、約５〜約３０度の開先角度によって特徴付けられる、請求項２に記載の装置。
【請求項６】
前記開先角度は、約５〜約１５度である、請求項５に記載の装置。
【請求項７】
前記開先角度は、約７〜約１２度である、請求項６に記載の装置。
【請求項８】
前記可変内径は、曲線外形を有する、請求項１に記載の装置。
【請求項９】
前記外形は、Ｓ形である、請求項１に記載の装置。
【請求項１０】
前記可変内径部分は、その遠位端において前記伸長スリーブの管腔内のバルーンによって提供される、請求項１に記載の装置。
【請求項１１】
前記バルーンは、トロイダル形である、請求項１０に記載の装置。
【請求項１２】
前記可変内径は、複数の内部部材によって提供され、前記複数の内部部材は、板ばねまたはフィンのいずれかである、請求項１に記載の装置。
【請求項１３】
前記可変内径部分は、ステント様本体を用いて設定された可撓性によって提供される、請求項１に記載の装置。
【請求項１４】
前記延長部より近位で前記シャフト上に搭載される拡張可能漏斗をさらに備える、請求項１に記載の装置。
【請求項１５】
前記伸長スリーブ上に搭載される拡張可能漏斗をさらに備える、請求項１に記載の装置。
【請求項１６】
前記漏斗は、前記調節可能内径より近位に搭載される、請求項１５に記載の装置。
【請求項１７】
血管医療デバイス回収のためのシステムであって、前記システムは、
シャフトと内部ポケットを画定する折返し延長部とを備える回収デバイスであって、前記ポケットは、医療デバイスの端部を受け取るように構成されている、回収デバイスと、
前記延長部の上を摺動させられるように構成されたシースであって、前記延長部は、前記シースの可変直径を用いて漸進的に圧縮されるように構成され、前記シースは、前記端部を捕捉するように構成されている、シースと
を含む、システム。
【請求項１８】
前記漸進的圧縮は、テーパ状区分による、請求項１７に記載のシステム。
【請求項１９】
前記テーパ状区分は、円錐形および曲線形状から選択される外形を有する、請求項１８に記載のシステム。
【請求項２０】
前記漸進的圧縮は、前記シース内のバルーンの膨張による、請求項１７に記載のシステム。
【請求項２１】
前記漸進的圧縮は、フィン、板ばね、およびステントから選択されるばねタイプ部材による、請求項１７に記載のシステム。
【請求項２２】
前記医療デバイスは、下大静脈フィルタである、請求項１７に記載のシステム。
【請求項２３】
前記回収デバイスシャフトおよび前記シースのうちの１つに搭載される塞栓保護フィルタをさらに含み、前記塞栓保護フィルタは、前記端部が捕捉される前に展開されるように構成されている、請求項１７に記載のシステム。
【手続補正２】
【補正対象書類名】明細書
【補正対象項目名】０００９
【補正方法】変更
【補正の内容】
【０００９】
本主題の送達および／または回収デバイス、構成要素、それらが含まれるキット（組立の有無を問わず）、使用および製造の方法（構成要素の生体内または生体外の組立を含む）は全て、本開示の範囲内に含まれる。同一物のいくつかの側面が、上記に説明され、より詳細な議論が、以下に図と関連して提示される。
本発明は、例えば、以下を提供する。
（項目１）
血管医療デバイスの送達または回収のための装置であって、前記装置は、
編組を含む可撓な遠位延長部を有する、軸を有する伸長シャフトであって、前記延長部は、遠位開口部において内向きに折り返され、より近位の開口部を形成し、前記近位の開口部は、それを通して前記医療デバイスの端部を受け取りかつ通過させるようにサイズ決定される、伸長シャフトと、
伸長スリーブであって、前記伸長スリーブが前記遠位延長部の上に前進させられるとき、前記医療デバイスの端部が前記遠位延長部内のポケット内に固定されるようにサイズ決定される、伸長スリーブと
を備え、
前記スリーブは、遠位端に隣接して可変内径部分を含む、装置。
（項目２）
前記可変内径部分は、形状が円錐形である、項目１に記載の装置。
（項目３）
遠位円筒形区分をさらに備える、項目２に記載の装置。
（項目４）
前記遠位円筒形区分は、マーカバンドを組み込む、項目３に記載の装置。
（項目５）
前記遠位円筒形区分は、約５〜約３０度の開先角度によって特徴付けられる、項目２に記載の装置。
（項目６）
前記開先角度は、約５〜約１５度である、項目５に記載の装置。
（項目７）
前記開先角度は、約７〜約１２度である、項目６に記載の装置。
（項目８）
前記可変内径は、曲線外形を有する、項目１に記載の装置。
（項目９）
前記外形は、Ｓ形である、項目１に記載の装置。
（項目１０）
前記可変内径部分は、その遠位端において前記伸長スリーブの管腔内のバルーンによって提供される、項目１に記載の装置。
（項目１１）
前記バルーンは、トロイダル形である、項目１０に記載の装置。
（項目１２）
前記可変内径は、複数の内部部材によって提供され、前記複数の内部部材は、板ばねまたはフィンのいずれかである、項目１に記載の装置。
（項目１３）
前記可変内径部分は、ステント様本体を用いて設定された可撓性によって提供される、項目１に記載の装置。
（項目１４）
前記延長部より近位で前記シャフト上に搭載される拡張可能漏斗をさらに備える、項目１に記載の装置。
（項目１５）
前記伸長スリーブ上に搭載される拡張可能漏斗をさらに備える、項目１に記載の装置。
（項目１６）
前記漏斗は、前記調節可能内径より近位に搭載される、項目１５に記載の装置。
（項目１７）
血管医療デバイス回収の方法であって、前記方法は、
シャフトと内部ポケットを画定する折返し延長部とを備える回収デバイスを位置付けることであって、前記ポケットは、医療デバイスの端部を受け取る、ことと、
前記延長部の上にシースを摺動させ、前記シースの可変直径を用いて前記延長部を漸進的に圧縮し、前記端部を捕捉することと
を含む、方法。
（項目１８）
前記漸進的圧縮は、テーパ状区分による、項目１７に記載の方法。
（項目１９）
前記テーパ状区分は、円錐形および曲線形状から選択される外形を有する、項目１８に記載の方法。
（項目２０）
前記漸進的圧縮は、前記シース内のバルーンの膨張による、項目１７に記載の方法。
（項目２１）
前記漸進的圧縮は、フィン、板ばね、およびステントから選択されるばねタイプ部材による、項目１７に記載の方法。
（項目２２）
前記位置付けることは、下大静脈内で実施され、前記医療デバイスは、下大静脈フィルタである、項目１７に記載の方法。
（項目２３）
前記捕捉することの前に、前記回収デバイスシャフトおよび前記シースのうちの１つに搭載される塞栓保護フィルタを展開することをさらに含む、項目１７に記載の方法。